【手続補正書】
【提出日】令和3年9月24日(2021.9.24)
【手続補正１】
【補正対象書類名】特許請求の範囲
【補正対象項目名】全文
【補正方法】変更
【補正の内容】
【特許請求の範囲】
【請求項１】
画像形成装置が有する、印刷ジョブに含まれた検品指示に応じてシート面に形成された画像を読み取る読み取り機能を用いて前記画像の検品を行う情報処理装置であって、
着目印刷ジョブについて検品指示がされており、かつ前記画像形成装置が前記読み取り機能を有している場合には、前記着目印刷ジョブの設定が、検品を実行できない条件を満たしているかを判定する判定手段と、
前記判定手段により前記着目印刷ジョブの設定が、前記条件を満たしていないと判定した場合に、前記着目印刷ジョブの内容に検品指示を示す情報を設定する設定手段と、
前記着目印刷ジョブを前記画像形成装置に送信する送信手段と、
前記画像形成装置から送信される画像に基づいて検品処理を実行する検品手段と
を有することを特徴とする情報処理装置。
【請求項２】
請求項1に記載の情報処理装置であって、
前記条件は、用紙タイプと秤量と用紙サイズと特殊加工の少なくともいずれかを含むことを特徴とする情報処理装置。
【請求項３】
請求項1または２に記載の情報処理装置であって、
前記設定手段による設定の後で前記着目印刷ジョブへの前記印刷ジョブの送信先となる画像形成装置が変更された場合には、前記判定手段による判定と前記設定手段による設定とをやり直すことを特徴とする情報処理装置。
【請求項４】
請求項1乃至３のいずれか一項に記載の情報処理装置であって、
前記着目印刷ジョブの設定を表示するユーザインターフェース手段をさらに有し、
前記ユーザインターフェース手段により、前記着目印刷ジョブについて前記読み取り機能を用いた検品指示を設定できることを特徴とする情報処理装置。
【請求項５】
請求項４に記載の情報処理装置であって、
前記ユーザインターフェース手段により表示される情報には、印刷ジョブの識別情報と、検品方法と出力先の画像形成装置を示す情報とが含まれることを特徴とする情報処理装置。
【請求項６】
請求項1乃至５のいずれか一項に記載の情報処理装置であって、
前記設定手段は、前記着目印刷ジョブの設定が、前記条件を満たしていると判定した場合にも前記着目印刷ジョブの内容に前記検品指示を示す情報を設定し、さらに、前記条件を満たしているか否かを示す情報を前記着目印刷ジョブに設定し、
前記検品手段は、前記着目印刷ジョブが、前記条件を満たしていない場合に、前記画像形成装置から送信される画像に基づいて検品処理を実行することを特徴とする情報処理装置。
【請求項７】
請求項1乃至６のいずれか一項に記載の情報処理装置であって、
着目印刷ジョブについて検品指示がされており、かつ前記画像形成装置が前記読み取り機能を有している場合には、検品方法を示す情報を印刷させる手段をさらに有することを特徴とする情報処理装置。
【請求項８】
請求項７に記載の情報処理装置であって、
前記検品方法を示す情報を印刷させる手段は、前記着目印刷ジョブに対応する指示書の印刷ジョブがある場合には、前記指示書に前記検品方法を示す情報を追加することを特徴とする情報処理装置。
【請求項９】
請求項７に記載の情報処理装置であって、
前記検品方法を示す情報を印刷させる手段は、前記着目印刷ジョブによる印刷物に余白がある場合には、前記余白に前記検品方法を示す情報を追加することを特徴とする情報処理装置。
【請求項１０】
請求項７に記載の情報処理装置であって、
前記検品方法を示す情報を印刷させる手段は、前記着目印刷ジョブに対応する指示書の印刷ジョブがなく、かつ、前記着目印刷ジョブによる印刷物に余白がない場合には、前記検品方法を示す情報を含む、前記着目印刷ジョブに対応する指示書の印刷ジョブを生成することを特徴とする情報処理装置。
【請求項１１】
請求項1乃至１０のいずれか一項に記載の情報処理装置であって、
前記検品手段により検品した結果を含む検査ログを生成する手段をさらに有することを特徴とする情報処理装置。
【請求項１２】
請求項１１に記載の情報処理装置であって、
前記検査ログには、前記着目印刷ジョブにより印刷した総部数と、検品の結果、不良と判定された部数と、前記画像形成装置から受信した画像とを含むことを特徴とする情報処理装置。
【請求項１３】
請求項１乃至１２のいずれか一項に記載の情報処理装置としてコンピュータを機能させるためのプログラム。
【請求項１４】
画像形成装置が有する、印刷ジョブに含まれた検品指示に応じてシート面に形成された画像を読み取る読み取り機能を用いて前記画像の検品を行う情報処理装置の制御方法であって、
着目印刷ジョブについて検品指示がされており、かつ前記画像形成装置が前記読み取り機能を有している場合には、前記着目印刷ジョブの設定が、検品を実行できない条件を満たしているかを判定し、
前記着目印刷ジョブの設定が、前記条件を満たしていないと判定した場合に、前記着目印刷ジョブの内容に検品指示を示す情報を設定し、
前記着目印刷ジョブを前記画像形成装置に送信し、
前記画像形成装置から送信される画像に基づいて検品処理を実行する
ことを特徴とする情報処理装置の制御方法。
【請求項１５】
印刷ジョブから画像を生成し、前記生成した画像を印刷する印刷手段と、
前記印刷手段により画像を印刷した印刷物を読み取りスキャン画像を生成する生成手段と、
前記スキャン画像と、予め登録している正解画像とに基づいて前記印刷物を検品する検品手段と、
を備え、
前記印刷ジョブは、少なくとも検品をするか否かの情報を含み、前記情報に基づいて、前記検品手段で検品を行うかを制御する制御手段と
を有することを特徴とする印刷システム。
【請求項１６】
前記印刷ジョブが検品をしない情報を含む場合に、
前記制御手段は、前記生成手段により印刷物の読み取りをしないことにより検品しないように制御する
ことを特徴とする請求項１５に記載の印刷システム。
【請求項１７】
前記印刷ジョブが検品をしない情報を含む場合に、
前記制御手段は、前記生成手段により前記スキャン画像を生成しないことにより検品しないように制御する
ことを特徴とする請求項１５に記載の印刷システム。
【請求項１８】
前記印刷ジョブが検品する情報を含む場合に、
前記制御手段は、前記生成手段により印刷物を読み取り、前記スキャン画像を生成することにより前記検品手段での検品を行うよう制御する
ことを特徴とする請求項１５乃至１７のいずれか１項に記載の印刷システム。
【請求項１９】
前記印刷システムは、すくなくとも画像形成装置と、前記画像形成装置と通信可能な情報処理装置とで構成されている
ことを特徴とする請求項１５乃至１８のいずれか１項に記載の印刷システム。
【請求項２０】
前記印刷ジョブは、画像と画像に関する印刷設定の情報とで構成されており、
前記印刷ジョブは、前記情報処理装置から前記画像形成装置に送信される
ことを特徴とする請求項１９に記載の印刷システム。
【請求項２１】
印刷ジョブから画像を生成し、前記生成した画像を印刷する印刷工程と、
前記画像を印刷した印刷物を読み取りスキャン画像を生成する生成工程と、
前記スキャン画像と、予め登録している正解画像とに基づいて前記印刷物を検品する検品工程と、
を備え、
前記印刷ジョブは、少なくとも検品をするか否かの情報を含み、前記情報に基づいて、前記印刷物の検品をするか否かの制御を行うことを特徴とする印刷システムの制御方法。
【手続補正２】
【補正対象書類名】明細書
【補正対象項目名】発明の名称
【補正方法】変更
【補正の内容】
【発明の名称】情報処理装置、制御方法およびプログラム並びに印刷システムとその制御方法